(57)【特許請求の範囲】
【請求項１】
受信装置の選局回路で選局された受信信号について、その中間周波数信号の電圧を、一つのアナログ放送の信号のスペクトルが分布する周波数範囲としての第１の周波数範囲を通過帯域とする第１帯域通過フィルタを介して測定する第１の測定手段と、
中心周波数を前記アナログ放送と同一とするディジタル放送の信号のスペクトルが分布する周波数範囲と前記第１の周波数範囲とを含む第２の周波数範囲を通過帯域とする第２帯域通過フィルタを介して前記中間周波数信号の電圧を測定する第２の測定手段と、
前記第１の測定手段の出力に対する前記第２の測定手段の出力の比率が所定値より大きい場合には、選局中の受信信号はディジタル放送を含むとし、前記所定値より小さい場合には、選局中の受信信号はディジタル放送を含まないと判別する判別手段と、
を備えることを特徴とする放送方式判別装置。
【請求項２】
前記判別手段は、前記第１の測定手段の出力に対する前記第２の測定手段の出力の比率が所定値より大きい場合には、選局中の受信信号はアナログ放送及びディジタル放送の両方を含むとし、前記所定値より小さい場合には、選局中の受信信号は、ディジタル放送は含まないが、アナログ放送は含むと判別することを特徴とする請求項１記載の放送方式判別装置。
【請求項３】
受信信号はＩＢＯＣに係るものであることを特徴とする請求項１又は２記載の放送方式判別装置。
【請求項４】
受信装置の選局回路で選局された受信信号について、その中間周波数信号の電圧を、一つのアナログ放送の信号のスペクトルが分布する周波数範囲としての第１の周波数範囲を通過帯域とする第１帯域通過フィルタを介して第１の測定値として測定するステップ、
中心周波数を前記アナログ放送と同一とするディジタル放送の信号のスペクトルが分布する周波数範囲と前記第１の周波数範囲とを含む第２の周波数範囲を通過帯域とする第２帯域通過フィルタを介して中間周波数信号の電圧を第２の測定値として測定するステップ、
前記第１の測定値に対する前記第２の測定値の比率が所定値より大きい場合には、選局中の受信信号はディジタル放送を含むとし、前記所定値より小さい場合には、選局中の受信信号はディジタル放送を含まないと判別するステップ、
を備えることを特徴とする放送方式判別方法。
【請求項５】
前記第１の測定値に対する前記第２の測定値の比率に基づく判別を行なうステップでは、前記比率が所定値より大きい場合には、選局中の受信信号はアナログ放送及びディジタル放送の両方を含むとし、前記所定値より小さい場合には、選局中の受信信号は、ディジタル放送は含まないが、アナログ放送は含むと判別することを特徴とする請求項４記載の放送方式判別方法。
【請求項６】
受信信号はＩＢＯＣに係るものであることを特徴とする請求項４又は５記載の放送方式判別方法。
【発明の詳細な説明】
【０００１】
【発明の属する技術分野】
本発明は、近傍の周波数で同時に放送されるアナログ放送とディジタル放送がある場合に、受信した放送の放送方式を自動的に判別する放送方式判別装置及び放送方式判別方法に関する。
【０００２】
【従来の技術】
最近、アナログ放送とディジタル放送とを同一の放送個所から同時に放送する放送方式が提案されている。例えば、米国のＦＣＣに提案されているＩＢＯＣ（In Band On Channnel）システムと呼ばれる放送方式などがそれにあたる。
このようなディジタル放送及びアナログ放送を受信可能なアナログ放送／ディジタル放送両用受信装置、またはディジタル放送の受信装置では、受信装置でまず行われるのはいわゆるサーチと呼ばれる動作である。該サーチ動作は、受信開始時に受信可能な一つのディジタル放送を検出するものである。このサーチ動作に要する時間は、前記したディジタル放送とアナログ放送とが混在する電波環境では、特に長時間を要するという問題がある。
【０００３】
以下、ディジタルオーディオ放送の具体例で受信時のサーチについて説明する。ディジタルオーディオ放送は、例えば欧州規格（Ｅｕｒｅｋａ １４７）に準拠したＤＡＢシステムがヨーロッパ等で実用化されている。
図５はＤＡＢシステムにおけるＤＡＢ  Ａｕｄｉｏ  ｆｒａｍｅの構成を示す図である。ＤＡＢシステムにおけるＤＡＢ信号は、直交周波数分割多重変調方式即ちＯＦＤＭ（Orthogonal Frequency Division Multiplex）で変調されたＯＦＤＭ信号として送信され、その伝送フレーム（Transmission  frame）は、前記ＯＦＤＭ信号を復調した復調ＯＦＤＭ信号から得られる。
【０００４】
前記復調ＯＦＤＭ信号における伝送フレームは、図５に示すように同期チャネル（Synchronization Channel）、ＦＩＣ（Fast Information Channel：高速情報チャネル）、ＭＳＣ（Main Service Channel：メインサービスチャネル）のブロックで構成される。前記ＦＩＣは受信装置が番組を選局するのに必要な情報や番組に対する補助情報などを伝送し、前記ＭＳＣは音声やデータのサブチャンネル（Sub Channel）を伝送する。
１フレーム分の前記ＦＩＣは３つのＦＩＢ（Fast Information Block）と呼ばれるデータブロックからなり、ＭＳＣは伝送モードにより異なるが１乃至４のＣＩＦ（Common Interleaved Frame）と呼ばれるデータブロックにより構成される。
【０００５】
前記伝送フレーム（Transmission frame）の先頭には同期チャネルブロックが設けられている。この同期チャネルブロックには、その先頭に粗同期用のＮＵＬＬシンボルが配置され、続いてＯＦＤＭ復調（例えば差分ＱＰＳＫ復調）のための基準位相を担う位相参照シンボル（以下、ＰＲＳとも記す）が配置されている。ＤＡＢ受信装置における選局はアンサンブルを単位として行い、他のアンサンブルを受信する場合には、受信周波数の変更が行われる。この受信周波数の変更に際しては、アンサンブルアップ／ダウンとも言われるサーチ操作（検索操作）によって受信可能なアンサンブルを検索して受信する。またユーザがディジタルオーディオ放送の受信を開始する場合にも、サーチ操作（検索操作）によって受信可能なアンサンブルの検索をして受信する。
【０００６】
前記サーチ動作は、前記ＮＵＬＬシンボルが検出されたときに終了する。前記ＮＵＬＬシンボルの検出は、誤検出を防止するために、３回以上連続して検出されたときに、ＮＵＬＬシンボルが検出されたものとしてサーチを終了する。連続して３回以上検出することができなかったきは、ＮＵＬＬシンボルの検出ができなかったものとみなされる。
ETS300401 ＤＡＢ規格では、各ＣＩＦの時間長は２４ｍｓであるが、ＤＡＢにおけるＭＰＥＧオーディオデータがＭＳＣ内に配置されて、１６個のＣＩＦに跨ってタイム・インターリーブがかけられている。
【０００７】
前記ＮＵＬＬシンボルの検出には、その前に前記タイム・インターリーブが解除されている必要がある。１ＣＩＦのフレーム長は２４ｍｓであるから、前記ＮＵＬＬシンボルを検出するには、最小でもＣＩＦの１６倍から３２倍（３８４ｍｓから７６８ｍｓ）の安定期間が必要となる。
【０００８】
さらに、前記ディジタル放送は、細かな周波数間隔で多くの放送が配置され得るので、放送が設定され得る各周波数ごとに放送があるかどうか調べる前記サーチには、長時間を要し、例えば１０秒程度を要することがある。しかしながら、受信した周波数の放送がアナログ放送であることが短時間で判別できるとすれば、その周波数についてはディジタル放送がないものと短時間で判断して、その周波数についてのサーチ動作を中断し、次の受信周波数についてサーチ動作を行うことができるから、サーチに要する時間を短縮することが出来ることになる。
【０００９】
以下、従来の両用受信装置における放送方式判別装置について図４を基に説明する。図４は従来の放送方式判別装置の一例を説明するための両用受信装置のブロック図である。
図４において、５０はアナログ及びディジタルのテレビジョン（ＴＶ）放送受信装置である。アンテナ４７から入力された信号から選局回路４９で特定の放送が選局される。選局回路４９は前記選局した放送の中間周波数信号ｐを放送方式スイッチ５１に入力する。該放送方式スイッチ５１は放送方式選択信号ｈに応じて、アナログのテレビ放送の場合は信号ｐを信号ｑとして映像検波回路５３に与え、ディジタル放送の場合は信号ｐを信号ｒとしてＩ／Ｑ検波回路５６に与える。
【００１０】
振幅変調されたアナログ放送の場合は、映像検波回路５３はＡＭ検波された信号ｓａをビデオ処理回路５４へ出力する。ビデオ処理回路５４はビデオ信号ｖａを次段に出力すると共に、ビデオ判別回路５９にも出力する。
多重ＰＳＫ変調されたディジタル放送の場合は、Ｉ／Ｑ検波回路５６はＩ／Ｑ検波された信号ｓｄをディジタル復調回路５７に出力する。該ディジタル復調回路５７はディジタル／アナログ変換器を有し、アナログの復調ビデオ信号ｖｄを次段に出力すると共に、ビデオ判別回路５９にも出力する。
【００１１】
両用ＴＶ受信装置５０では、受信時にはまず放送方式スイッチ５１をアナログ放送側に切り替えておく。そして、ビデオ信号判別回路５９は、例えばビデオ信号の同期パルスがあるかどうかなどにより、ビデオ信号ｖａが正しいビデオ信号かどうかを判別する。正しければアナログのテレビ放送を受信しているものと見なし、正しくなければ、アナログのテレビ放送を受信できなかったものと見なし、放送方式スイッチ５１をディジタル放送側に切り替える。
次に、ビデオ信号判別回路５９は、復調された信号ｖｄが正しいビデオ信号であるかどうか判別する。そして、正しければディジタル放送を受信しているものと見なし、正しくなければディジタル放送を受信できなかったものと見なす。
このようにして、選局回路４９で選局された放送がアナログ放送であるかディジタル放送であるかを、ビデオ判別回路５９で判別し、放送方式選択信号ｈを介して、放送方式スイッチ５１を正しいビデオ信号が得られるほうへ切り替えることが出来る。
【００１２】
【発明が解決しようとする課題】
しかしながら、前記した従来例装置では、或る周波数においてディジタル復調回路における同期処理を行って、ディジタル復調信号が得られるまでは、ディジタル放送を受信できたかどうかの判断が出来ない。このため、受信した放送がアナログ放送であるか、ディジタル放送であるかの判断を短時間で行うことが出来ず、前記サーチにおいて長時間を要するという問題があった。
本発明の放送方式判別装置は前記問題点に鑑みてなされたものであり、その目的は、アナログ放送とディジタル放送との放送方式を短時間で判別できる放送方式判別装置及び放送方式判別方法を提供することである。
【００１３】
【説題を解決するための手段】
本発明は上記目的を達成するために次のような構成でなされたものである。
第１の発明は、受信装置の選局回路で選局された受信信号について、その中間周波数信号の振幅を測定する第１の測定手段と、前記中間周波数信号の電圧を測定する第２の測定手段と、前記第１の測定手段の出力と前記第２の測定手段の出力とを比較する比較手段とを備えて、前記選局された放送がアナログ放送であるかディジタル放送であるかを判別する放送方式判別装置であって、前記比較手段では、前記第１の測定手段の出力と前記第２の測定手段の出力との比を算出し、該算出結果の値と予め定めた所定値との大小を比較して該比較結果に応じて、前記選局回路で選局された放送の放送方式を判別するようにした放送方式判別装置である。
【００１４】
第１の発明によれば、或る周波数で受信した放送がアナログ放送であるかディジタル放送であるかを判別する場合に、前記中間周波数信号を第１の測定手段で測定して得られる値は、アナログ放送の信号のみによってほぼ決まり、ディジタル放送の有無によって変動することは殆どない。一方、第２の測定手段で測定して得られる電圧値は、ディジタルオーディオ放送の多数のキャリアにより、アナログ放送のみの場合と比較して大きくなる。
そして、受信した周波数付近でアナログ放送とディジタル放送とが同時に送信されている場合には、中間周波数信号ではアナログ放送信号の振幅とディジタル放送信号の振幅とが所定の比率を有していると考えられるから、第１の測定手段で測定して得られる値と第２の測定手段で測定して得られる値との比を、予め定めた所定値との大小を比較することにより、受信放送の放送方式を判別することが出きる。
【００１５】
第２の発明は、第１の発明の放送方式判別装置において、前記第１の測定手段は、前記中間周波数信号の最大振幅を測定するようにした放送方式判別装置である。
【００１６】
アナログ放送信号の振幅はディジタル放送信号の振幅より大きいから、第２の発明によれば、前記第１の測定手段で前記中間周波数信号の最大振幅を測定することにより、ディジタル放送信号の影響を受けずに、アナログ放送信号の振幅を正確に測定することができ、これによって、放送方式の判別をより正確に行うことができる。
【００１７】
第３の発明は、受信装置の選局回路で選局された受信信号について、その中間周波数信号の電圧又は振幅を、一つのアナログ放送の信号のスペクトルが分布する周波数範囲を通過帯域とする第１帯域通過フィルタを介して測定する第１の測定手段と、前記中間周波数信号の電圧を測定する第２の測定手段と、前記第１の測定手段の出力と前記第２の測定手段の出力とを比較する比較手段とを備えて、前記選局された放送がアナログ放送であるかディジタル放送であるかを判別する放送方式判別装置であって、前記比較手段では、前記第１の測定手段の出力と前記第２の測定手段の出力との比を算出し、該算出結果の値と予め定めた所定値との大小を比較して該比較結果に応じて、前記選局回路で選局された放送の放送方式を判別するようにした放送方式判別装置である。
【００１８】
第３の発明によれば、前記第１の測定手段で、一つのアナログ放送の信号のスペクトルが分布する周波数範囲を通過帯域とする第１帯域通過フィルタを介して測定することにより、ディジタル放送信号の影響を受けずに、アナログ放送信号の振幅を正確に測定することができ、これによって、放送方式の判別をより正確に行うことができる。
【００１９】
第４の発明は、第１の発明乃至第３の発明のいずれかの放送方式判別装置において、前記第２の測定手段は、一つのディジタル放送の信号のスペクトルが分布する周波数範囲を通過帯域とする第２帯域通過フィルタを介して、前記中間周波数信号の電圧を測定するようにした放送方式判別装置である。
【００２０】
第４の発明によれば、前記第２の測定手段で、一つのディジタル放送の信号のスペクトルが分布する周波数範囲を通過帯域とする第２帯域通過フィルタを介して測定することにより、受信中の周波数に隣接する周波数帯で放送が行われている場合であっても、その隣接放送信号の影響を受けずに、中間周波数信号の電圧を正確に測定することができ、これによって、放送方式の判別をより正確に行うことができる。
【００２１】
第５の発明は、選局されたＲＦ信号から周波数変換された中間周波数信号の振幅を測定して第１の測定値を得、前記中間周波数信号の電圧を測定して第２の測定値を得、前記第１の測定値と前記第２の測定値との比を得て、該比の値と予め定めた所定値との大小関係に応じて、前記選局された放送がアナログ放送であるかディジタル放送であるかを判別するようにした放送方式判別方法である。
【００２２】
第６の発明は、第５の発明の放送方式判別方法において、前記第１の測定値を得る際には、前記中間周波数信号の最大振幅を測定するようにした放送方式判別方法である。
【００２３】
第７の発明は、選局されたＲＦ信号から周波数変換された中間周波数信号の電圧又は振幅を、一つのアナログ放送の信号のスペクトルが分布する周波数範囲で測定して第１の測定値を得、前記中間周波数信号の電圧を測定して第２の測定値を得、前記第１の測定値と前記第２の測定値との比を得て、該比の値と予め定めた所定値との大小関係に応じて、前記選局された放送がアナログ放送であるかディジタル放送であるかを判別するようにした放送方式判別方法である。
【００２４】
第８の発明は、第５の発明乃至第７の発明のいずれかの放送方式判別方法において、前記第２の測定値は、一つのディジタル放送の信号のスペクトルが分布する周波数範囲で測定するようにした放送方式判別方法である。
【００２５】
【発明の実施の形態】
本発明の放送方式判別装置は、ＲＦ信号の増幅と選局と中間周波数信号の生成を行う選局回路を有する受信装置内に設けられ、前記選局回路から出力される中間周波数信号を、第１の測定手段で測定して第１の測定値を得、第２の測定手段で測定して第２の測定値を得、該２つの測定値の比を算出し、該比の値と予め定めた所定値との大小を比較し、該比較結果に応じて、受信した放送がアナログ放送であるか、ディジタル放送であるかを短時間で判別できるようにしたものである。前記第１の測定手段では実質的にアナログ放送の信号の振幅を測定し、前記第２の測定手段では実質的にアナログ放送の信号とディジタル放送の信号が混在する信号の電圧を測定する。
【００２６】
以下、本発明の実施の形態について図面を参照して説明する。
まず、アナログ放送とディジタル放送とが、同一のアンテナから同時に放送される例として、現在米国ＦＣＣ(Federal Communications Committee：アメリカの連邦通信委員会)に提案されているＩＢＯＣシステムについて図３と共に説明する。
図３はＩＢＯＣシステム放送方式における送信時の電力スペクトル分布を示す図である。図３において、横軸は周波数であり、アナログ放送であるＦＭオーディオ放送の中心周波数を０として該中心周波数からのずれを示す。縦軸は放送波における電力スペクトラムの強度を示し、点線はＦＭオーディオ放送のものであり、実線はＦＭオーディオ放送の隙間を利用して放送されるディジタルオーディオ放送のものである。該ディジタルオーディオ放送の中心周波数はアナログ放送のそれと同じである。
【００２７】
前記ＦＭオーディオ放送は４００ｋＨｚ間隔で配置されている。即ち隣接するＦＭオーディオ放送同士は、その中心周波数が４００ｋＨｚ離間して配置される。ディジタルオーディオ放送の中心周波数は前記ＦＭオーディオ放送の中心周波数と同一であり、ディジタルオーディオ放送波の電力スペクトラムはＦＭオーディオ放送波の電力スペクトラムの外側に分布する。
例えば点線で示すＦＭオーディオ放送波の電力スペクトラム強度は０．３５ｄｂ／ｋＨｚ程度の傾斜を持ち、電力スペクトラムは略±１２９ｋＨｚの範囲内に分布する。
【００２８】
一方、実線で示すディジタルオーディオ放送波の電力スペクトラムは±（１２９ｋＨｚ〜１９９ｋＨｚ）に分布する。
ＩＢＯＣシステム放送方式のようにアナログ放送とディジタル放送が同時になされる場合には、同一のアンテナから送信され、同一のアンテナで受信される。したがって図３に示すような電力スペクトラム強度は、アナログ放送とディジタル放送において所定の比率で放送され、該所定の比率に応じて、受信時の電界強度も一定の比率を有するものとなる。
【００２９】
このように、ＩＢＯＣシステムは、ＦＭオーディオ放送とディジタルオーディオ放送を同じ中心周波数で同時に放送しても、両者の電力スペクトラムが重ならないようにして互いの干渉を防ぎ、同時の放送を可能にしようとするものである。
前記したＩＢＯＣシステムのようにアナログ放送とディジタル放送が同時になされる場合の他に、電波環境としては、アナログ放送だけの場合や、ディジタル放送だけの場合もあり、受信時には、受信した放送がどの放送方式のものであるかに応じて、受信回路が切り替えられる。
【００３０】
図１は本発明放送方式判別装置の一例を説明するための両用受信装置のブロック図である。
ここではアナログ放送がＦＭオーディオ放送であり、ディジタルオーディオ放送の変調方式としてＯＦＤＭ（直交周波数分割多重方式:Orthogonal Frequency Division Multiplex）が採用されているものとして説明する。
図１において、両用受信装置１０での受信開始の指示やサーチ開始の指示はユーザから図示しない操作パネルを介してマイクロプロセッサ（ＭＰＵ）３５に与えられる。サーチ時などに、受信するディジタルオーディオ放送の周波数情報は受信周波数設定信号ｋとしてＭＰＵ３５から選局回路１３のＰＬＬに送られる。
ここでいう選局回路１３は一般的にＲＦ増幅部、或いはフロントエンドとも言われ、その構成は図示していないが、アンテナ１１から供給されたＲＦ信号を増幅するＲＦ増幅回路と、ＰＬＬ回路を有して受信周波数設定信号ｋに応じた周波数で発振する局部発振器と、前記ＲＦ増幅回路から送出されるＲＦ信号と局部発振器の出力とを混合して所定の中間周波数信号を出力する混合器と、該混合器から出力される信号から中間周波数信号以外の信号を除去する中間周波フィルタ等で構成される。前記中間周波数信号は例えばＳＡＷフィルタで構成される前記中間周波フィルタを介して選局回路１３から出力される。
【００３１】
選局回路１３では、アンテナ１１から入力されたＲＦ信号が増幅され、そのうちの特定周波数のディジタルオーディオ放送の搬送波が受信され、信号処理され、所定の中間周波数信号（ＩＦ信号）に変換され、中間周波フィルタを介して放送方式スイッチ１５と放送方式判別装置２０とに与えられる。
放送方式スイッチ１５には、放送方式に応じて放送方式選択信号ｄがＭＰＵ３５から与えられ、ＦＭオーディオ放送のときはＦＭオーディオ放送信号ｆがＦＭ復調器１７に与えられ、ＦＭ復調器１７から復調されたＦＭオーディオ信号ｉが出力される。一方、ディジタルオーディオ放送のときは、放送方式スイッチ１５からディジタルオーディオ信号ｇがＯＦＤＭ復調器１９に与えられる。
【００３２】
ＯＦＤＭ復調器１９は、アナログ／ディジタル変換器（Ａ／Ｄ変換器）、Ｉ／Ｑ検波器、ＦＦＴ、ＤＳＰなどで構成される。ＯＦＤＭ復調器１９では、アナログ信号がディジタル信号に変換され、後段でＯＦＤＭ信号が処理できるように、Ｉ／Ｑ検波器でＩ信号とＱ信号とに分割され、ＦＦＴに供給される。また、ＦＦＴとＤＳＰ（ディジタル演算装置）によって高速フーリエ変換が行われ、チャンネルデコーダ２１に供給される。チャンネルデコーダ２１では、信号の順番を元の順に戻す周波数デ・インターリーブ（de-interleaving）、ＱＰＳＫシンボルデマッピング、さらにタイム・デ・インターリーブや、誤り符号の検出や訂正などが行われる。
【００３３】
チャンネルデコーダ２１からはディジタルオーディオフレームが圧縮復号器２３に与えられる。圧縮復号器２３に与えられるオーディオ情報は、ＭＰＥＧオーディオ圧縮方式などを用いて圧縮されたオーディオ情報であり、圧縮復号器２３では前記圧縮されたオーディオ情報が復号されて圧縮が解除され、復号されたオーディオデータｊが次段のＤ／Ａ変換器に供給される。
【００３４】
放送方式判別装置２０は、第１帯域通過フィルタ（第１ＢＰＦ）２５、第２帯域通過フィルタ（第２ＢＰＦ）２７、第１測定手段２９、第２測定手段３１、比較手段３３、ＭＰＵ３５で構成される。
第１ＢＰＦ２５は狭帯域バンドパスフィルタであり、その中心周波数が前記中間周波数信号の中心周波数と同一で、通過帯域幅はＦＭオーディオ放送のスペクトラムが分布する周波数範囲のみを通過させるように制限する。該帯域幅は例えば２５８ｋＨｚに設定する。第２ＢＰＦ２７は広狭帯域バンドパスフィルタであり、その中心周波数が前記中間周波数信号の中心周波数と同一で、通過帯域幅は少なくともディジタルオーディオ放送のスペクトラムが分布する周波数範囲、例えば３９８ｋＨｚに設定する。
【００３５】
選局回路１３は中間周波数信号ｅを放送方式スイッチ１５と第１ＢＰＦ２５と第２ＢＰＦ２７とに印加する。第１測定手段２９は第１ＢＰＦ２５から供給された信号の振幅を所定時間測定する。この測定は例えば、振幅の最大値の測定、又は電圧の測定であり、その所定時間での平均値ａを比較手段３３に出力する。さらに第１測定手段２９での測定は、中間周波数信号ｅのうち所定値以上の振幅の部分を抜き出して、実質的にディジタルオーディオ放送の信号を除外した後に、その信号の電圧を測定するようにしても良い。第２測定手段３１は第２ＢＰＦ２７から供給された信号の電圧を所定時間測定し、その平均値ｂを比較手段３３に出力する。比較手段３３は前記ａとｂとの比、即ちｂ／ａを算出し、この算出結果ｃをＭＰＵ３５に供給する。
【００３６】
比較手段３３はＭＰＵ３５で構成しても良い。また、第１ＢＰＦ２５はＦＭオーディオ放送のみの信号を正確に測定するためのものであり、第１測定手段２９で最大振幅を測定する場合は省略することが可能であるが、電圧値として測定する場合は省略することが出来ない。なお、ダイオードを用いた包絡線検波等により第１測定手段２９で振幅を測定する場合は、所定値より振幅の小さいディジタルオーディオ放送の信号が検出されないようにすることができるから、この場合は第１ＢＰＦ２５は省略することが出きる。
【００３７】
第１測定手段２９での測定は、一つのＦＭオーディオ放送の信号のスペクトルが分布する周波数範囲を通過帯域とする帯域通過フィルタを用いることにより、ディジタルオーディオ放送の成分を含めない、より正確な測定が可能になり、測定は最大振幅、電圧のいずれでも良くなる。
第２測定手段３１での測定では、第２ＢＰＦ２７を省略することも可能であるが、一つのディジタルオーディオ放送の信号のスペクトルが分布する周波数範囲を通過帯域とする帯域通過フィルタを用いることにより、受信中の周波数の隣接周波数帯に放送がある場合にもその影響を受けず正確な測定が可能になる。
【００３８】
ＭＰＵ３５は前記ｃの値すなわちｂ／ａと、予め定められた所定値ｍとの大小関係を調べる。そして、ｃがｍより小さい場合には、受信した放送がＦＭオーディオ放送のみの放送であると判断し、その判断結果の信号ｄ（放送方式選択信号ｄ）として０を放送方式スイッチ１５に供給する。ｃがｍより大きい場合はＦＭオーディオ放送とディジタルオーディオ放送が混在した放送であると判断し、その判断結果の信号ｄ（放送方式選択信号ｄ）として１を放送方式スイッチ１５に供給する。
放送方式スイッチ１５が切り替えられることにより、中間周波数信号ｅは、前記ｄが０の時は信号ｆとしてＦＭ復調器１７に供給され、前記ｄが１の時は信号ｇとしてＯＦＤＭ復調器１９に供給される。
【００３９】
なお、前記した所定値ｍは、第１測定手段２９で振幅をどのように測定するかによって異なる値となり、例えば最大振幅を測定する場合と、電圧を測定する場合とでは異なる値となる。また、前記ａの値が予め設定した所定値より小さい場合には、受信中の周波数にはＦＭオーディオ放送がなく受信不可能であるとして、ＭＰＵ３５は次の受信周波数を設定するための受信周波数設定信号ｋを選局回路１３に供給する。
【００４０】
以下、本発明におけるサーチ処理及び放送方式判別方法について図２と共に説明する。図２は本発明におけるサーチ処理を説明するためのフローチャートである。
図２において、ユーザの指示によりサーチが開始されると、まずＭＰＵ３５は選局回路１３へ受信周波数設定信号ｋを送る（ステップＳ１１）。次にステップＳ１３では、選局回路１３で所定周波数のＩＦ信号（中間周波数信号）を生成しステップＳ１５へ進む。ステップＳ１５では、狭帯域のＢＰＦ（第１ＢＰＦ２５）を介して最大振幅（又は電圧）を所定時間測定し、その平均値ａを得てステップＳ１７へ進む。
【００４１】
ステップＳ１７では、ａの値が所定値より大きいか？、と問われ、ＹｅｓであればＦＭオーディオ放送が受信できたものとしてステップＳ１９へ進み、ＮｏであればＦＭオーディオ放送が受信できなかったものとしてテップＳ１１へ戻る。ステップＳ１９では、広帯域のＢＰＦ（第２ＢＰＦ２７）を介しては電圧を所定時間測定し、その平均値ｂを得てステップＳ２１へ進む。
ステップＳ２１では、ｂ／ａを算出しステップＳ２３へ進む。ステップＳ２３ではｂ／ａが所定値より大きいか？、と問われ、ＹｅｓであればステップＳ２７へ進み、ＮｏであればテップＳ２９へ進む。
【００４２】
ステップＳ２７では、受信した周波数にＦＭオーディオ放送（アナログ放送）とディジタルオーディオ放送（ディジタル放送）の両方があると判断し、ＭＰＵ３５は放送方式選択信号ｄの値として１を放送方式スイッチ１５に与える。
ステップＳ２９では、受信した周波数にＦＭオーディオ放送（アナログ放送）のみがあると判断し、ＭＰＵ３５は放送方式選択信号ｄの値として０を放送方式スイッチ１５に与え、ステップＳ３１へ進む。ステップＳ３１では、サーチ終了の指示があったか？、と問われ、Ｙｅｓであればサーチを終了し、ＮｏであればテップＳ１１へ戻り、ＭＰＵ３５は次の受信周波数を設定して選局回路１３に与える。
【００４３】
前記ステップＳ２７でｄ＝１が出力されるとサーチを終了し、ディジタルオーディオ放送を受信する。また、サーチ対象の全周波数範囲についてのサーチを行っても、前記ｄが一度も１にならなかった場合には、ＭＰＵ３５は、受信できるディジタル放送がないものと判断して、サーチ終了を指示し、ＦＭオーディオ放送を受信すべく、放送方式スイッチ１５に放送方式選択信号ｄとして０を与える。
【００４４】
同一のアンテナから送信されたＦＭオーディオ放送とディジタルオーディオ放送では、図３に示すような電力スペクトル強度を有し、受信時にも、ＦＭオーディオ放送のキャリアの振幅は、ディジタルオーディオ放送のキャリアの振幅よりはるかに大きい。
そして、前記中間周波数信号ｅを第１測定手段２９で測定した値ａはＦＭオーディオ放送のみによって決まり、ディジタルオーディオ放送の有無によって変動することは殆どない。
【００４５】
一方、受信した周波数付近でＦＭオーディオ放送とディジタルオーディオ放送とが同時に送信されている場合には、前記中間周波数信号ｅの最大振幅はディジタルオーディオ放送の有無によってあまり変動しないが、第２測定手段３１で測定した電圧値ｂは、ディジタルオーディオ放送の多数のキャリアにより、ＦＭオーディオ放送のみの場合よりも大きくなる。
従って、ｂ／ａの値と予め定められた所定値との大小関係を調べることにより、受信中の放送がアナログ放送だけのものか、ディジタル放送も混在しているものかの判別が可能となる。
しかも、この判別は、ディジタル放送の信号が復調される前に行うことが出来るから、極めて短時間に行うことが出来るという特徴がある。
【００４６】
以上詳細に述べた通り、本発明の放送方式判別装置及び放送方式判別方法によれば、アナログ放送とディジタル放送とが混在する電波環境においてアナログ放送／ディジタル放送の両用受信装置で受信した場合に、受信中の放送の方式を短時間で判別できるから、本発明をディジタル放送受信時のサーチに適用すれば、受信周波数にディジタル放送が存在しないと判別されたときには直ちに次の周波数に切り替えることが出来、前記サーチに要する時間を短縮することが出来るという効果を奏する。
【図面の簡単な説明】
【図１】本発明放送方式判別装置の一例を説明するための両用受信装置のブロック図である。
【図２】本発明におけるサーチ処理を説明するためのフローチャートである。
【図３】ＩＢＯＣシステム放送方式における送信時の電力スペクトル分布を示す図である。
【図４】従来の放送方式判別装置の一例を説明するための両用受信装置のブロック図である。
【図５】ＤＡＢシステムにおけるＤＡＢ  Ａｕｄｉｏ  ｆｒａｍｅの構成を示す図である。
【符号の説明】
１３    選局回路
１５    放送方式スイッチ
１７    ＦＭ復調器
１９    ＯＦＤＭ復調器
２０    放送方式判別装置
２１    チャンネルデコーダ
２３    圧縮復号器
２５    第１帯域通過フィルタ（第１ＢＰＦ）
２７    第２帯域通過フィルタ（第２ＢＰＦ）
２９    第１測定手段
３１    第２測定手段
３３    比較手段
３５    マイクロプロセッサ（ＭＰＵ）
【図１】
0003798604.tif 000002
【図２】
0003798604.tif 000003
【図３】
0003798604.tif 000004
【図４】
0003798604.tif 000005
【図５】
0003798604.tif 000006